(57)【要約】【課題】種々の漏風の原因となる現象が起きた場合でも漏風を抑えることができる焼結機のシール装置を提供する。【解決手段】焼結機のシール装置は、パレット台車１０の下面に取り付けられた一対のシールバー４の下面と接する位置に配置される一対のウェアーバー１３と、パレット台車１０の下方において、一対のウェアーバー１３をそれぞれ支持する一対のウェアーバーサポート１２と、ウェアーバーサポート１２に取り付けられ、パレット台車１０の下面の水平な面２ａに接するシールシート１４と、を備える。【選択図】図２
2020016423.tif 000002
【特許請求の範囲】
【請求項１】
焼結機のシール装置であって、
焼結用の原料を積載して無端軌道上を搬送されるパレット台車の下面に上下方向に可動に取り付けられた一対のシールバーの下面と接する位置に配置され、搬送方向に延びて形成される一対のウェアーバーと、
前記パレット台車の下方において、前記一対のウェアーバーをそれぞれ支持する一対のウェアーバーサポートであって、前記パレット台車の下方に設けられる風箱群の幅方向の両側を画定する側壁と一体となったウェアーバーサポートと、
前記ウェアーバーサポートに取り付けられ、前記シールバーよりも幅方向の外方における前記パレット台車の下面の水平な面に接するシールシートと、を備えた、焼結機のシール装置。
【請求項２】
前記シールシートは、隣接する複数のパレット台車の下面の水平な面に接するように、前記搬送方向に延びて形成される、請求項１に記載の焼結機のシール装置。
【発明の詳細な説明】
【技術分野】
【０００１】
本発明は、無端軌道に互いに隣接して配置される複数のパレット台車を有する焼結機のシール技術に関する。
【背景技術】
【０００２】
焼結機は、無端軌道上に配置した複数のパレット台車を有する。複数のパレットは互いに隣接し、連続した搬送コンベヤーを形成する。連続する複数のパレットの上に焼結用の原料が積載され、搬送される。搬送中に、積載した原料中の粉コークス等の燃料に点火される。点火後、原料中の燃料が燃焼することで、原料中の鉄鉱石が加熱され、部分溶融して焼結鉱を形成する。原料が積載された複数のパレットの下には、負圧を生じさせる風箱群が配置される。風箱群は、搬送方向に連続して並ぶ複数の風箱で構成される。風箱群は、誘引排風機に接続される。パレットに積載した原料の燃焼排ガスは、風箱に吸引される。そのため、原料には、上部から空気が常に供給される。
【０００３】
風箱の負圧を保つために、パレット台車の下方の風箱につながる空間は、密閉されることが求められる。そのため、従来の焼結機では、パレット台車の下面に設けられた一対のシールバーを、風箱群の側壁に沿って搬送方向に延びて設けられた一対のウェアーバーに接触させた状態で、パレット台車が搬送される。これにより、一対のシールバー間の空間すなわち風箱内の空間を大気から遮断することが図られる。なお、ウェアーバーは、スライドベッドと称することもある。
【０００４】
しかし、様々な要因によりシールバーの周辺に隙間が生じて、漏風が発生している。漏風とは、積載した原料層内を通過せず、パレット台車間、パレット台車と風箱間、又は、パレット台車の側板と原料層との隙間等を通過して風箱に至る風のことである。漏風は、前述した焼成反応に寄与しない。漏風が多いと、誘引排風機の電力を増大させるとともに、生産性を著しく低下させることになる。そのため、従来から漏風削減技術に関し多くの提案がなされてきた。
【０００５】
例えば、実開昭６１−５５７００号公報（特許文献１）では、スライドベッド又はベッドの側面に、磁性板を固定し、磁性板の自由な反固定端を磁力でスライドシール板すなわちシールバーに密着させる構成が開示されている。
【先行技術文献】
【特許文献】
【０００６】
【特許文献１】実開昭６１−５５７００号公報
【発明の概要】
【発明が解決しようとする課題】
【０００７】
発明者らは、漏風が生じる原因を調査した。その結果、以下のよう原因があることがわかった。特許文献１のように、パレット台車の下面の窪みに、下向きに開口する保持カバーが取り付けられ、シールバーは保持カバー内で上下に可動な状態で保持されている構成を考える。この構成では、シールバーが保持カバーと摺動しながら上下方向に動く。この構成の場合、シールバーと保持カバーの間に隙間が生じる。また、保持カバーを収めているパレット台車の窪みと保持カバーの間にも隙間が生じる。また、ウェアーバーがうねりや傾き等で変形した場合やダストがシールバーとウェアーバーの間に噛み込んだ場合、シールバーとウェアーバーの接触が不完全になる。その結果、シールバーとウェアーバーの間に隙間が生じて十分な圧力遮断ができない状況になることがある。これは、重力式もしくは、スプリングによりシールバーをウェアーバーに押し付けるシールバー可動式のいずれの構造の焼結機においても生じ得る。また、パレット台車一台毎にシールバーが設けられる。そのため、連続したウェアーバーに対して、シールバーが分割された状態のシール機構となっている。これにより、パレット台車間では、隣接するシールバー間にも隙間が生じていた。
【０００８】
発明者らは、上記のような様々な原因に対応するためのシール構成を検討した。例えば、実開昭６１−５５７００号公報のように、シール部材の一方端をウェアーバーの側面に、他方端をシールバーの側面に接触させる構成を検討した。この場合、パレット台車が規定以上に蛇行して幅方向の位置が変化すると、シール部材の長さが不足して当接位置が外れる等により、隙間が生じやすい。また、上下方向におけるパレット台車の位置が規定以上に下がった場合も、シール部材の当接位置がずれたり、シール部材の長さが余って皺が寄ったりして、隙間が生じやすい。また、この構成だと、シールバーと保持カバーの間の隙間、及び保持カバーとパレット台車の間の隙間に対応することが難しい。
【０００９】
そこで、本発明は、種々の漏風の原因となる現象が起きた場合でも、風箱とパレット台車の間の漏風を抑えることができる、焼結機のシール装置を提供することを目的とする。
【課題を解決するための手段】
【００１０】
本発明の一実施形態における焼結機のシール装置は、一対のウェアーバーと、一対のウェアーバーサポートと、シールシートとを備える。前記一対のウェアーバーは、パレット台車に取り付けられた一対のシールバーの下面と接する位置に配置される。前記一対のシールバーは、焼結用の原料を積載して無端軌道上を搬送されるパレット台車の下面に上下方向に可動に取り付けられる。前記一対のウェアーバーは、搬送方向に延びて形成される。前記一対のウェアーバーサポートは、前記パレット台車の下方において、前記一対のウェアーバーをそれぞれ支持する。前記一対のウェアーバーサポートは、前記パレット台車の下方に設けられる風箱群の幅方向の両側を画定する側壁と一体となっている。前記シールシートは、前記ウェアーバーサポートに取り付けられ、前記シールバーよりも前記幅方向の外方における前記パレット台車の下面の水平な面に接する。
【発明の効果】
【００１１】
本願開示によれば、種々の漏風の原因となる現象が起きた場合でも、風箱とパレット台車の間の漏風を抑えることができる焼結機のシール装置を提供することができる。
【図面の簡単な説明】
【００１２】
【図１】図１は、本実施形態におけるパレット台車を、搬送方向から見た図である。
【図２】図２は、図１のウェアーバーを含む部分の拡大図である。
【図３】図３は、隣接する２台のパレット台車の側面図である。
【発明を実施するための形態】
【００１３】
本発明の実施形態における焼結機のシール装置は、一対のウェアーバーと、一対のウェアーバーサポートと、シールシートとを備える。前記一対のウェアーバーは、パレット台車に取り付けられた一対のシールバーの下面と接する位置に配置される。前記一対のシールバーは、焼結用の原料を積載して無端軌道上を搬送されるパレット台車の下面に上下方向に可動に取り付けられる。前記一対のウェアーバーは、搬送方向に延びて形成される。前記一対のウェアーバーサポートは、前記パレット台車の下方において、前記一対のウェアーバーをそれぞれ支持する。前記一対のウェアーバーサポートは、前記パレット台車の下方に設けられる風箱群の前記幅方向の両側を画定する側壁と一体となっている。前記シールシートは、前記ウェアーバーサポートに取り付けられ、前記シールバーよりも前記幅方向の外方における前記パレット台車の下面の水平な面に接する。
【００１４】
上記構成において、シールシートは、風箱の側壁と一体となっているウェアーバーサポートから上方に延びて、シールバーより外方すなわち大気に近い方のパレット台車の下面の水平な面に達する。すなわち、シールシートの下部は、ウェアーバーサポートに支持され、シールシートの上端部は、パレット台車の下面の水平な面に接する。これにより、例えば、パレット台車の幅方向の位置が変位した場合、シールシートは、パレット台車の下面の水平な面に接した状態で、パレット台車に対して幅方向に移動することができる。そのため、風箱とパレット台車との間の隙間を塞ぐシール性能が維持される。また、パレット台車の上下方向の位置が低くなった場合も、シールシートがパレット台車の下面の水平面を摺動することで、シール性能を維持することができる。そのため、パレット台車のウェアーバーに対する変位に起因するシール性能の低下が抑えられる。さらに、上記構成において、シールシートは、シールバーより幅方向の外方すなわち大気に近い位置において、風箱とパレット台車の間をシールする。これにより、シールバーの周辺の空間を、シールバーの外側から、大気と遮断する。例えば、シールバーと保持カバーの間、又は、保持カバーとパレット台車の間等の空間を、その空間の大きさの変化にかかわりなく、その外側において大気から遮断することができる。そのため、シールバーとパレット台車の間に生じる隙間に起因する漏風を抑えることができる。このように、上記構成によれば、種々の漏風の原因となる現象が起きた場合でも漏風を抑えることができる。なお、上記構成は、重力式シールバーもしくは、スプリングによりシールバーをウェアーバーに押し付ける可動式シールバーのいずれの構造の焼結機に用いても、上記効果を得ることができる。
【００１５】
前記シールシートは、隣接する複数のパレット台車の下面の水平な面に接するように、前記搬送方向に延びて形成されてもよい。これにより、シールシートは、複数のパレット台車にわたって連続して配置される。そのため、例えば、隣接する２台のパレット台車のシールバーの間の隙間をシールシートで塞ぐことができる。
【００１６】
本明細書において、パレット台車において、焼結用の原料が積まれる方向が上であり、その反対方向が下である。搬送方向は、原料を積んだパレット台車が軌道上を搬送されるときのパレット台車の進行方向である。幅方向は、搬送方向及び上下方向に直交する方向とする。
【００１７】
以下、本発明の実施の形態を、図面を参照して詳しく説明する。図中同一又は相当部分には同一符号を付してその説明は繰り返さない。
【００１８】
（実施形態１）
本実施形態における焼結機は、無端軌道に互いに隣接して配置される複数のパレット台車を備える。図１は、本実施形態におけるパレット台車を、搬送方向から見た図である。図１に示す直交座標系のｘ軸は、パレット台車の幅方向であり、ｙ軸は、パレット台車の搬送方向であり、ｚ軸は、パレット台車の上下方向である。パレット台車１０は、パレットフレーム２と、パレットフレーム２の幅方向の両端部に配置された一対の側板１と、一対の側板１の間のパレットフレーム２に配置される複数のグレートバー８を備える。複数のグレートバー８は、火格子を構成する。一対の側板１は、パレットフレーム２の上面かに取り付けられる。一対の側板１は、パレットフレーム２から上方に延びる。パレットフレーム２の幅方向の両端部には、一対の車輪７が回転可能に取り付けられる。一対の車輪７の車軸７ａは、幅方向に延びる。焼結用の原料は、火格子上に積載される。すなわち、複数のグレートバー８の火格子と一対の側板１で囲まれる空間に焼結用の原料が収納される。
【００１９】
車輪７は、搬送方向に延びるレール１１の上を転がる。レール１１の幅方向内方には、搬送方向に延びる一対のウェアーバー１３と、一対のウェアーバー１３をそれぞれ支持する一対のウェアーバーサポート１２（ウェアーバー支持部）が配置される。ウェアーバー１３及びウェアーバーサポート１２は、パレット台車１０の下方に配置される。パレットフレーム２の下面には、搬送方向に延びる２つの凹部２ｂが形成される。２つの凹部２ｂは、幅方向に離間している。２つの凹部２ｂのそれぞれに、搬送方向に延びる一対のシールバー４が挿入される。一対のシールバー４の各々は、パレットフレーム２に対して上下方向に可動な状態で取り付けられる。パレット台車１０が原料を積載して搬送される時には、シールバー４の下面が、ウェアーバー１３の上面に接した状態で、シールバー４がウェアーバー１３に対して搬送方向に相対移動する。すなわち、シールバー４はウェアーバー１３に対して摺動する。
【００２０】
パレット台車１０の下方には、複数の風箱２１が配置される。複数の風箱２１は、搬送方向すなわちｙ方向に並んで配置される。パレット台車のグレートバー８の下方であって、一対のシールバー４、一対のウェアーバー１３、及び一対のウェアーバーサポート１２の間の空間は、風箱２１内の空間と繋がっている。風箱２１内のガスは、誘引排風機（図示略）によって吸引される。風箱２１内の空間は、ダクトを通じて誘引排風機に繋がっている。風箱２１内には負圧が生じる。すなわち、グレートバー８と、一対のシールバー４、一対のウェアーバー１３、一対のウェアーバーサポート１２で囲まれる空間は負圧となる。これにより、原料中のガスはグレートバー８の火格子を通って風箱２１に吸引され、原料の上方の大気が原料の中に取り込まれる。
【００２１】
風箱２１は、側壁２１ａを有する。側壁２１ａは、風箱２１の幅方向の両側を画定する。すなわち、側壁２１ａは、幅方向における風箱２１の縁すなわち両端を画定する。側壁２１ａは、搬送方向に延びる。
【００２２】
ウェアーバーサポート１２は、風箱の側壁２１ａと一体となっている。図１に示す例では、一対のウェアーバーサポート１２は、それぞれ、風箱２１の一対の側壁２１ａに固定されている。一対のウェアーバーサポート１２は、風箱２１の一対の側壁２１ａの外面すなわち大気側の表面に、それぞれ隙間なく接している。これにより、ウェアーバーサポート１２は、風箱２１の側壁２１ａと一体となって、風箱２１内の空間の幅方向両側の遮蔽板を形成する。このように、風箱２１の側壁２１ａとウェアーバーサポート１２が一体となる形態は、必ずしも、側壁２１ａとウェアーバーサポート１２が、同一の材料で一体形成されていることを意味しない。また、風箱２１の側壁２１ａとウェアーバーサポート１２の間に、他の部材が設けられてもよい。図１に示す例では、ウェアーバーサポート１２は、風箱の側壁２１ａの上端よりわずかに上の位置で、ウェアーバー１３を支持する。
【００２３】
図２は、図１のウェアーバー１３付近の拡大図である。ウェアーバーサポート１２には、シールシート１４が取り付けられる。シールシート１４は、板状の部材である。シールシート１４は、ウェアーバーサポート１２の外側すなわち大気側の側面に取り付けられる。シールシート１４は、ウェアーバーサポート１２から上方に延びて、パレット台車１０の下面の水平な面２ａに達する。シールシート１４の上端部は、パレット台車１０の下面の水平な面２ａに接する。シールシート１４は、ウェアーバーサポート１２と、パレット台車１０の下面の水平な面２ａとの間の全体にわたって設けられる。シールシート１４は、搬送方向を長手方向とするシートである。シールシート１４とパレット台車１０の下面の水平な面２ａとの接触部は、搬送方向に連続して延びる。シールシート１４がウェアーバーサポート１２に取り付けられる部分も、搬送方向に連続して延びる。シールシート１４は、シールバー４の外側すなわち大気側において、パレット台車１０とウェアーバーサポート１２の間を塞ぐ。
【００２４】
シールシート１４により、例えば、万一シールバーとウェアーバーの接触が不完全であったとしても風箱内へ流入しようとする風（矢印Ｆ２）が遮断される。図２では、説明のため、本来は接触しているシールバー４とウェアーバー１３の間に、ダストＤ１が噛み込んだ場合の例を示している。この場合、噛み込みの周辺ではシールバー４とウェアーバー１３の間に若干の隙間が生じる。このような場合も、シールシート１４によって、この隙間を通る漏風（矢印Ｆ３）が防止される。ダストの噛み込み以外に、例えば、ウェアーバー１３がうねりや傾き等で変形した場合にも、シールバー４とウェアーバー１３の間に若干の隙間が生じ得る。この場合も、シールシート１４によってこの隙間を通る漏風が防止される。
【００２５】
シールシート１４は、パレット台車１０の下面の水平な面２ａに摺動する。すなわち、シールシート１４が、パレット台車１０の下面の水平な面２ａに接した状態で、パレット台車１０は、搬送方向に移動する。パレット台車１０の下面の水平な面、すなわちシールシート１４との摺動面は、機械加工により滑らかに仕上げておくことが好ましい。これにより、シールシート１４のシール性を向上させることができる。例えば、パレット台車１０の下面の水平な面の表面粗さをＲａ６．３ａ以上、好ましくはＲａ ２５ａとすることができる。パレット台車１０のシールシート１４との接触面は極力滑らかであることがのぞましい。
【００２６】
シールシート１４は、可撓性を有することが好ましい。また、シールシート１４は、耐熱性を有することが好ましい。例えば、シールシート１４を、耐熱ゴムで形成することができる。
【００２７】
ウェアーバーサポート１２は、ウェアーバー１３を載せる台板１２ａを有する。具体例として、ウェアーバーサポート１２は、台板１２ａと、台板１２ａを支持する上下方向に延びる支持部１２ｂと、支持部１２ｂの下部を支持する底部１２ｃとが一体的に形成されたものである。台板１２ａは、支持部１２ｂの上端から幅方向の外方に向かって延びる。底部１２ｃは、支持部１２ｂの下端から幅方向の外方に向かって延びる。支持部１２ｂは、風箱２１の側壁２１ａと隙間なく接する。
【００２８】
シールシート１４は、ウェアーバーサポート１２の台板１２ａの側面に取り付けられる。具体例として、台板１２ａに取り付けられた取付具１５に、シールシート１４が締結部材１６によって固定される。取付具１５は、台板１２ａの上面に接する水平部分と、この水平部分の端から台板１２ａの側面に沿って延びる垂直部分を有する。垂直部分にシールシート１４の表面が接する。締結部材１６は、シールシート１４及び取付具１５の垂直部分を貫通する。これにより、シールシート１４の表面の法線が幅方向と一致する向きで、ウェアーバーサポート１２に固定される。シールシート１４は、ウェアーバー１３の側面にも接していることが望ましい。
【００２９】
シールシート１４の上端部（上端を含む部分）がパレット台車の下面の水平な面２ａに接する。図２に示す例では、シールシート１４の上端部が、幅方向外方に向けて曲がった状態で、シールシート１４の表面がパレット台車の下面の水平な面２ａに接している。すなわち、シールシート１４は、ウェアーバーサポート１２から上方に延び、途中で、幅方向の外方へ向かって曲がる。この曲がった部分すなわち湾曲部と上端の間のシールシート１４の部分が、パレット台車の下面の水平な面２ａに接する。このように、シールシート１４の上端部が、パレット台車の下面の水平な面２ａに、幅方向にある程度の幅をもって接することが望ましい。すなわち、シールシート１４の上端部と水平な面２ａとが面接触することが望ましい。
【００３０】
搬送方向に垂直な面の断面において、シールシート１４のウェアーバー１３の上面から先端までの自然長さＢ１は、ウェアーバー１３の上面とパレット台車の下面の水平な面２ａとの間の上下方向の距離Ｂより長い（Ｂ１＞Ｂ）。例えば、図２に示す例では、締結部材１６から上端までのシールシート１４の自然長さが、締結部材１６とパレット台車の下面の水平な面２ａとの距離より長くなるよう、シールシート１４がウェアーバーサポート１２に取り付けられる。これにより、シールシート１４が曲がった状態で、パレット台車の下面の水平な面２ａと接する。シールシート１４の上端は、パレット台車の下面の水平な面２ａに押し付けられる。
【００３１】
シールシート１４は、幅方向の外方すなわち大気側に曲げた状態で、ウェアーバーサポート１２に取り付けられることが望ましい。これにより、シールシート１４の上端部は、シールシート１４の上端を外方に向けた状態となってパレット台車の下面に接触する。シールシート１４の上端が幅方向の外方に向いていることにより、大気圧により、シールシート１４の上端部がパレット台車の下面にさらに押し付けられる。これにより、シールシート１４のシール機能を強化して、風箱２１内の空間を外気と遮断することができる。
【００３２】
パレット台車の下面の水平な面２ａの幅（すなわち、幅方向の長さ）Ｗは、幅方向のパレット台車の変位可能量より大きいことが好ましい。この幅Ｗは、パレット台車の幅方向の変位可能量の２倍以上であることが、より好ましい。例えば、幅Ｗは、一対の車輪７のうち一方の車輪つばをレール１１の頭に接した状態においける他方の車輪７のつば７ｂと、レール１１の頭との隙間（幅方向の長さ）Ａの２倍以上とすることができる（Ｗ≧２Ａ）。これにより、パレット台車の蛇行によって、パレット台車の幅方向の位置が変位した場合でも、シールシート１４によるシール機能を維持することができる。
【００３３】
なお、ウェアーバー１３の幅（パレット台車の幅方向の長さ）は、シールバー４の幅より大きい。ウェアーバー１３の幅とシールバー４の幅の差は、パレット台車の幅方向の変位可能量より大きいことが好ましい。例えば、ウェアーバー１３の幅とシールバー４の幅の差を、上記の車輪つば７ｂとレール１１頭との隙間Ａ以上とすることができる。
【００３４】
図２に示す例では、パレットフレーム２の幅方向の両端部には、下方に突出する突出部２ｃが設けられる。シールシート１４が接するパレット台車の下面の水平な面は、凹部２ｂの幅方向外方の端と突出部２ｃの幅方向内方の端の間にある。
【００３５】
図２に示す例では、下部が開口した保持カバー５が、凹部２ｂに取り付けられる。シールバー４は、保持カバー５内で上下可動に保持される。シールバー４と保持カバー５の間には、弾性体６としてもスプリングが設けられる。シールバー４は、弾性体６により、ウェアーバー１３に押し付けられる。なお、シールバー４の取り付け構成は、この例に限られない。
【００３６】
例えば、弾性体を用いずに、シールバー４が自重によってウェアーバー１３に押し付けられる構成であってもよい。本実施形態のシールシート１４を用いたシール装置は、弾性体を用いた構成（例えば、スプリング式シールバー）及び弾性体を用いない構成（例えば、重力式シールバー）のいずれにも適用することができる。
【００３７】
シールシート１４により、シールバー４とウェアーバー１３の間がシールされる。さらに、シールシート１４により、シールバー４と保持カバー５の間、及び、保持カバー５とパレット台車１０の凹部２ｂの間もシールされる。
【００３８】
図３は、隣接する２台のパレット台車を幅方向から見た側面図である。図３において、シールシート１４の位置を破線で示している。シールシート１４は、隣接する複数のパレット台車１０Ａ、１０Ｂにわたって、搬送方向に延びて形成される。１枚のシールシート１４は、複数のパレット台車１０Ａ、１０Ｂの下面の水平な面に接する。シールシート１４の搬送方向における長さは、隣接する２台のパレット台車の搬送方向における長さより長いことが好ましい。これにより、連続するパレット台車のシールバー４の間の隙間を、シールシート１４でカバーすることができる。なお、図３は、２台のパレット台車を示すが、１枚のシールシート１４は、２台以上のパレット台車にわたって、搬送方向に延びて形成されてもよい。例えば、１枚のシールシート１４の搬送方向における長さは、１０ｍ以上とすることができる。
【００３９】
本実施形態におけるシールシート１４を用いたシール構造により、種々の漏風の原因となる現象が起きた場合でも漏風を抑えることができる。例えば、シールバー４と保持カバー５の間に隙間が生じた場合に、シールシート１４によって漏風が抑えられる。パレット台車１０の凹部２ｂと保持カバー５の間に隙間が生じた場合も、シールシート１４によって漏風が抑えられる。また、ウェアーバー１３が、うねりや傾き等で変形し、シールバー４とウェアーバー１３の接触面が小さくなって、圧力遮断が不十分になった場合も、シールシート１４により漏風が抑えられる。また、シールバー４とウェアーバー１３の間にダスト粒子が噛み込まれた場合にも、シールシート１４によって漏風が抑えられる。さらに、車輪７、及びレール１１の摩耗等によりパレット台車１０の上下方向における位置が下がった場合も、シールシート１４とパレット台車１０と接触状態は略変わらず、良好な接触状態が維持できる。そのため、シールシート１４のシール性が維持される。また、パレット台車が蛇行することにより、パレット台車の幅方向の位置が変位した場合も、シールシート１４とパレット台車１０の下面の水平な面２ａと接触は保たれる。そのため、シール性は維持される。
【００４０】
本実施形態のシール装置は、ウェアーバー１３とシールシート１４で、２重のエアーシール手段を具備する。本実施形態によれば、上記のような種々の現象が起きたときに大きな漏風になることない。そのため、焼結機を安定した風量原単位のもとで運転し、生産を継続できる。
【００４１】
本発明は、上記実施形態に限られない。例えば、上記実施形態では、シールバー４の幅方向外方すなわち大気側にシールシート１４が配置される。これに限らず、シールシート１４は、シールバー４の幅方向内方に配置されてもよい。
【００４２】
以上、本発明の一実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【符号の説明】
【００４３】
１：側板
２：パレットフレーム
３：シール部材
４：シールバー
１０：パレット台車
１２：ウェアーバーサポート
１３：ウェアーバー
１４：シールシート
【図１】
2020016423.tif 000003
【図２】
2020016423.tif 000004
【図３】
2020016423.tif 000005